(57)【特許請求の範囲】
【請求項１】
赤熱コークスが供給されるとともに循環冷却ガスが吹き込まれるチャンバーと、
前記チャンバー内で赤熱コークスによって昇温された循環冷却ガスが第１のダクトを介して導入され、該循環冷却ガス中のコークス粉を回収するサイクロンからなる集塵機と、
前記集塵機から流出した循環冷却ガスが第２のダクトを介して導入されるとともに循環冷却ガスの熱を回収するボイラーと、を備え、
前記ボイラーから流出した循環冷却ガスを該ボイラーと前記チャンバーを繋ぐ第３のダクトを介して再度チャンバーに戻して赤熱コークスを冷却するコークス乾式消火設備において、
ガス導入路と空気導入路が予混合路に繋がり、該予混合路が前記第２のダクトに繋がっており、
前記ガス導入路を流通する不活性ガスと前記空気導入路を流通する空気が前記予混合路にて混合されて混合ガスを形成し、該予混合路を介して混合ガスが第２のダクトに提供されるコークス乾式消火設備。
【請求項２】
赤熱コークスが供給されるとともに循環冷却ガスが吹き込まれるチャンバーと、
前記チャンバー内で赤熱コークスによって昇温された循環冷却ガスが第１のダクトを介して導入され、該循環冷却ガス中のコークス粉を回収するサイクロンからなる集塵機と、
前記集塵機から流出した循環冷却ガスが第２のダクトを介して導入されるとともに循環冷却ガスの熱を回収するボイラーと、を備え、
前記ボイラーから流出した循環冷却ガスを該ボイラーと前記チャンバーを繋ぐ第３のダクトを介して再度チャンバーに戻して赤熱コークスを冷却するコークス乾式消火設備において、
前記第３のダクトから分岐した分岐ダクト、前記コークス乾式消火設備の系外に通じている系外ダクト、のいずれかからなり、不活性ガスが流通するガス導入路と、空気が流通する空気導入路と、がそれぞれ、二重管の内管、外管のいずれか一方に繋がり、該二重管が前記第２のダクトに繋がっており、
前記二重管を流通する不活性ガスと空気が前記第２のダクトに提供されるコークス乾式消火設備。
【請求項３】
赤熱コークスが供給されるとともに循環冷却ガスが吹き込まれるチャンバーと、
前記チャンバー内で赤熱コークスによって昇温された循環冷却ガスが第１のダクトを介して導入され、該循環冷却ガス中のコークス粉を回収するサイクロンからなる集塵機と、
前記集塵機から流出した循環冷却ガスが第２のダクトを介して導入されるとともに循環冷却ガスの熱を回収するボイラーと、を備え、
前記ボイラーから流出した循環冷却ガスを該ボイラーと前記チャンバーを繋ぐ第３のダクトを介して再度チャンバーに戻して赤熱コークスを冷却するコークス乾式消火設備において、
不活性ガスが流通するガス導入路を構成する分岐ダクトと系外ダクトであって、前記第３のダクトから分岐した分岐ダクト、および、前記コークス乾式消火設備の系外に通じている系外ダクトと、空気が流通する空気導入路と、がそれぞれ、三重管の内管、中管、外管のいずれか一方に繋がり、該三重管が前記第２のダクトに繋がっており、
前記三重管を流通する不活性ガスと空気が前記第２のダクトに提供されるコークス乾式消火設備。
【請求項４】
前記ガス導入路が前記第３のダクトから分岐した分岐ダクトの場合に、前記不活性ガスは該分岐ダクトを流通する循環冷却ガスであり、
前記ガス導入路が前記コークス乾式消火設備の系外に通じている系外ダクトの場合に、前記不活性ガスは該系外ダクトを流通する窒素、二酸化炭素、蒸気のいずれか一種もしくは複数種である請求項１〜３のいずれかに記載のコークス乾式消火設備。
【請求項５】
前記第３のダクトの途中位置にガスブロアが設けてあり、
前記第３のダクトのうち、ガスブロア設置位置よりも下流側の一つもしくは複数の位置から一本もしくは複数本の前記分岐ダクトが分岐している、請求項２または３および、請求項２または３に従属する請求項４のいずれかに記載のコークス乾式消火設備。
【請求項６】
前記第２のダクトは、サイクロンの頂部から上方に立ち上がる立ち上り部と、この立ち上り部から屈曲して水平方向もしくは略水平方向に延びる水平部とから構成されており、
前記ガス導入路と前記空気導入路が、前記予混合路、または前記二重管、または前記三重管を介して前記立ち上り部に繋がっている請求項１〜５のいずれかに記載のコークス乾式消火設備。
【発明の詳細な説明】
【技術分野】
【０００１】
本発明は、コークス乾式消火設備に関するものである。
【背景技術】
【０００２】
製鉄プロセスは、石炭を蒸し焼きにして固めたコークスで鉄鉱石（酸化鉄）から鉄を還元する製銑工程からスタートする。コークス乾式消火設備（CDQ: Coke Dry Quenching）は、コークス炉で蒸し焼きにした赤熱コークスを冷却し、回収した熱で高温・高圧の蒸気を発生する設備である。ここで、生成された蒸気は、鉄鋼生産用の電力やプロセス蒸気として一般に利用されている。
【０００３】
このCDQに関し、本出願人は特許文献１において、従来構造の一次ダストキャッチャーに代えてサイクロンを適用しながら、サイクロンに1000℃程度の循環冷却ガスが提供されないような対策を講じ、しかも、ボイラーに入る前に循環冷却ガスの温度は1000℃程度にまで高めることで循環冷却ガスの流量を増加させることなく、ボイラーによる熱回収量を低下させることのないコークス乾式消火設備を開示している。
【０００４】
その具体的な構成は、チャンバーと、第１のダクトを介して導入される900℃以下の温度に制御された循環冷却ガス中のコークス粉を回収するサイクロンからなる集塵機と、集塵機から流出した循環冷却ガスが第２のダクトを介して導入されるとともに循環冷却ガスの熱を回収するボイラーと、ボイラーから流出した循環冷却ガスをボイラーとチャンバーを繋ぐ第３のダクトを介して再度チャンバーに戻して赤熱コークスを冷却するコークス乾式消火設備において、第２のダクトが立ち上り部と水平部から構成され、循環冷却ガスに空気を導入して循環冷却ガス中の未燃ガスの燃焼を実行するための空気導入路が立ち上り部にのみ存在しているものである。
【０００５】
ところで、上記する第２のダクトに空気を導入し、循環冷却ガス中の未燃ガスを燃焼させる過程においては、あらたに種々の課題が浮上している。
【０００６】
その一つは、大気中の空気のみを導入した場合、未燃ガスとの燃焼において局部的に高温領域（1200℃以上）が発生してしまい、第２のダクトの壁面にクリンカ付着が起こる可能性があるという課題である。
【０００７】
また、他の一つは、CDQの操業において投入コークスが持ち込む未燃ガスを燃焼させる目的で空気の吹込みを行っているが、操業が低負荷（コークス処理量低下）の際に、投入コークスの持ち込む未燃ガス量が低下することである。このことにより、未燃ガスの燃焼に必要な空気量が減少して空気の吹込み速度が低下することで、第２のダクトのサイクロン出口付近での燃焼位置がダクト壁面に近づき、第２のダクトの壁面におけるクリンカ付着が助長される可能性がある。
【先行技術文献】
【特許文献】
【０００８】
【特許文献１】特許第５２０２７５１号明細書
【発明の概要】
【発明が解決しようとする課題】
【０００９】
本発明は上記する問題に鑑みてなされたものであり、未燃ガスの燃焼温度を制御することで、サイクロンとボイラーを繋ぐダクトの壁面にクリンカが付着するのを抑制することのできるコークス乾式消火設備を提供することを目的としている。
【発明を解決するための手段】
【００１０】
前記目的を達成すべく、本発明によるコークス乾式消火設備は、赤熱コークスが供給されるとともに循環冷却ガスが吹き込まれるチャンバーと、前記チャンバー内で赤熱コークスによって昇温された循環冷却ガスが第１のダクトを介して導入され、該循環冷却ガス中のコークス粉を回収するサイクロンからなる集塵機と、前記集塵機から流出した循環冷却ガスが第２のダクトを介して導入されるとともに循環冷却ガスの熱を回収するボイラーと、を備え、前記ボイラーから流出した循環冷却ガスを該ボイラーと前記チャンバーを繋ぐ第３のダクトを介して再度チャンバーに戻して赤熱コークスを冷却するコークス乾式消火設備において、前記第２のダクトには、ガス導入路と空気導入路が繋がっており、前記ガス導入路を流通する不活性ガスと前記空気導入路を流通する空気が前記第２のダクトに提供されるようになっているものである。
【００１１】
本発明のコークス乾式消火設備（CDQ）は、不活性ガスが流通するガス導入路と空気が流通する空気導入路が第２のダクトに繋がっている構成を適用したことにより、温度が大気温度で酸素濃度が約21％である未燃ガス燃焼用の空気と、温度が例えば100℃〜200℃で酸素濃度が約0％である循環冷却ガスを個別かつ同時に、もしくはそれらを予混合した混合ガスを第２のダクトに吹込むことができる。このことにより、第２のダクトに提供される空気やガスの温度や酸素濃度、吹込み流量・流速を所望に制御することが可能になる。
【００１２】
そして、このように第２のダクトに提供される空気や不活性ガスの温度や酸素濃度、吹込み流量・流速を制御できることにより、以下の効果を奏することができる。
【００１３】
その一つは、燃焼用空気の酸素濃度を下げることができ、このことによって燃焼抑制効果を齎し、燃焼温度を低下させることで、第２のダクトの壁面におけるクリンカ付着を抑制することができるという効果である。
【００１４】
また、他の一つは、操業低負荷時に燃焼用空気量が低下し、吹込み流速が低下した際に、混合する不活性ガス流量を増加させて吹込み流速を維持することにより、第２のダクトの壁面における燃焼に起因したクリンカの付着を抑制することができるという効果である。
【００１５】
ここで、「ガス導入路」や「不活性ガス」の実施の形態として、以下で示す複数の形態を挙げることができる。
【００１６】
第一の実施の形態は、前記ガス導入路が前記第３のダクトから分岐した分岐ダクトであり、前記不活性ガスが該分岐ダクトを流通する循環冷却ガスである実施の形態である。
【００１７】
「ガス導入路」として第３のダクトから分岐した分岐ダクトを適用し、「不活性ガス」として系内を流れる循環冷却ガスを再利用し、分岐ダクトを介して第２のダクトへ提供するものである。
【００１８】
なお、第３のダクトから分岐する分岐ダクトは、単数であっても複数であってもよい。より具体的には、第３のダクトの途中位置にガスブロアが設けてあり、第３のダクトのうち、ガスブロア設置位置よりも下流側の一つもしくは複数の位置から一本もしくは複数本の分岐ダクトが分岐している形態を挙げることができる。
【００１９】
また、第二の実施の形態は、前記ガス導入路が前記コークス乾式消火設備の系外に通じている系外ダクトであり、前記不活性ガスが該系外ダクトを流通する窒素、二酸化炭素、蒸気のいずれか一種もしくは複数種である実施の形態である。
【００２０】
「ガス導入路」として、コークス乾式消火設備(CDQ)の系外にある各種設備から当該コークス乾式消火設備に繋がる系外ダクトを適用し、「不活性ガス」として系外の設備にて発生等した窒素、二酸化炭素、蒸気のいずれか一種もしくは複数種を再利用し、系外ダクトを介して第２のダクトへ提供するものである。
【００２１】
また、第三の実施の形態は、上記第一の実施の形態と第二の実施の形態を組み合わせた形態であり、すなわち、前記ガス導入路が前記第３のダクトから分岐した分岐ダクトとコークス乾式消火設備の系外に通じている系外ダクトからなり、前記不活性ガスが前記分岐ダクトを流通する循環冷却ガス、および、前記系外ダクトを流通する窒素、二酸化炭素、蒸気のいずれか一種もしくは複数種である実施の形態である。
【００２２】
このように、系内の循環冷却ガスや系外の窒素や二酸化炭素、蒸気を再利用し、空気とともにこれらの不活性ガスを第二のダクトへ提供することにより、既述するように第２のダクトの壁面におけるクリンカ付着抑制効果が奏される。
【００２３】
また、ガス導入路と空気導入路の第２のダクトへの接続形態として、以下で示す複数の形態を挙げることができる。
【００２４】
第一の実施の形態は、前記ガス導入路と前記空気導入路が予混合路に繋がり、該予混合路が前記第２のダクトに繋がっており、前記ガス導入路を流通する不活性ガスと前記空気導入路を流通する空気が前記予混合路にて混合されて混合ガスを形成し、該予混合路を介して混合ガスが第２のダクトに提供される実施の形態である。
【００２５】
ここで、「予混合路」とは、大掛かりなチャンバーなどを必要とせず、分岐ダクトと空気導入路が合流する管路（流路）であってもよい。
【００２６】
また、第二の実施の形態は、前記ガス導入路が前記分岐ダクトもしくは前記系外ダクトのいずれかである場合に、前記ガス導入路と前記空気導入路がそれぞれ、二重管の内管、外管のいずれか一方に繋がり、該二重管が前記第２のダクトに繋がっており、前記二重管を流通する不活性ガスと空気が前記第２のダクトに提供される実施の形態である。
【００２７】
また、第三の実施の形態は、前記ガス導入路が前記分岐ダクトと前記系外ダクトからなる場合に、前記分岐ダクトと前記系外ダクトと前記空気導入路がそれぞれ、三重管の内管、中管、外管のいずれか一方に繋がり、該三重管が前記第２のダクトに繋がっており、前記三重管を流通する、循環冷却ガスと、空気と、窒素、二酸化炭素、蒸気のいずれか一種もしくは複数種と、が前記第２のダクトに提供される実施の形態である。
【００２８】
さらに、本発明によるコークス乾式消火設備の好ましい実施の形態において、第２のダクトは、サイクロンの頂部から上方に立ち上がる立ち上り部と、この立ち上り部から屈曲して水平方向もしくは略水平方向に延びる水平部とから構成されており、ガス導入路と空気導入路が立ち上り部に繋がっているものである。
【００２９】
ここで、「略水平方向」とは、水平に対して±20度程度以下の範囲で傾斜していることを意味している。
【００３０】
サイクロンでは循環冷却ガスの旋回流が生成され、この旋回する循環冷却ガスに第２のダクトから提供された空気や循環冷却ガスが混合され、立ち上り部と、水平方向もしくは略水平方向に延びる水平部からなる第２のダクトの全区間に亘って、これら混合された気体の旋回流が流通することになる。
【００３１】
空気導入路やガス導入路、もしくは予混合路や二重管、三重管（以上をまとめて導入管と称す）の接続形態としては、１基の導入管が立ち上がり部の所定レベル位置に配設された形態や、立ち上がり部の同一レベル（同一平面内）に２〜４基の導入管が設けられた形態（２基の場合は対角線位置、３基の場合は120度間隔、４基の場合は90度間隔）など、多様な形態が挙げられる。
【発明の効果】
【００３２】
以上の説明から理解できるように、本発明のコークス乾式消火設備によれば、第２のダクトにガス導入路と空気導入路を繋ぎ、ガス導入路を流通する不活性ガスと空気導入路を流通する空気を第２のダクトに提供することにより、未燃ガス燃焼用の空気と不活性ガスを個別かつ同時に、もしくはそれらを予混合した混合ガスを第２のダクトに吹込むことができ、このことによって第２のダクトに提供される空気や不活性ガスの温度や酸素濃度、吹込み流量・流速を所望に制御することが可能になる。このことにより、燃焼用空気の酸素濃度を下げることで燃焼の抑制効果を齎し、燃焼温度を低下させることで第２のダクトの壁面にクリンカが付着するのを抑制することができる。また、操業低負荷時に燃焼用空気量が低下し、吹込み流速が低下した際に、混合する不活性ガス流量を増加させて吹込み流速を維持することにより、第２のダクトの壁面における燃焼に起因したクリンカの付着を抑制することができる。
【図面の簡単な説明】
【００３３】
【図１】本発明のコークス乾式消火設備の実施の形態１の模式図である。
【図２】（ａ），（ｂ），（ｃ）ともに、空気導入路および分岐ダクトと第２のダクトの接続形態を示した縦断面図である。
【図３】サイクロンと第２のダクトを拡大した斜視図である。
【図４】図３のIV−IV矢視図である。
【図５】本発明のコークス乾式消火設備の実施の形態２の模式図である。
【図６】本発明のコークス乾式消火設備の実施の形態３の模式図である。
【図７】（ａ），（ｂ），（ｃ）ともに、コークス乾式消火設備の実施の形態３における空気導入路、分岐ダクトおよび系外ダクトと第２のダクトの接続形態を示した縦断面図である。
【図８】燃焼解析で適用した解析モデルの模式図である。
【図９】図８のIX部の拡大図である。
【図１０】（ａ）は解析におけるcase1の概略図であり、（ｂ）は解析におけるcase2の概略図である。
【図１１】燃焼解析結果のうち、第２のダクトにおける循環冷却ガスの流速コンタ図である。
【図１２】燃焼解析結果のうち、第２のダクトにおける循環冷却ガスの温度コンタ図である。
【図１３】燃焼解析結果のうち、第２のダクトにおける循環冷却ガスの温度1100℃の温度等値図である。
【図１４】燃焼解析結果のうち、第２のダクトにおける循環冷却ガスの温度1000℃の温度等値図である。
【図１５】燃焼解析結果のうち、第２のダクトにおける循環冷却ガスの温度900℃の温度等値図である。
【発明を実施するための形態】
【００３４】
以下、図面を参照して本発明のコークス乾式消火設備の実施の形態を説明する。なお、図示例では、第２のダクトを構成する立ち上がり部に４基の空気導入路及びガス導入路が90度間隔で配設された形態を示しているが、図示例以外の基数の空気導入路及びガス導入路が立ち上がり部に設けられた形態や、水平部に空気導入路及びガス導入路が設けられた形態などであってもよいことは勿論のことである。
【００３５】
（コークス乾式消火設備の実施の形態１）
図１は本発明のコークス乾式消火設備の実施の形態１の模式図であり、図２（ａ），（ｂ），（ｃ）はともに空気導入路および分岐ダクトと第２のダクトの接続形態を示した縦断面図である。また、図３はサイクロンと第２のダクトを拡大した斜視図であり、図４は図３のIV−IV矢視図である。
【００３６】
図示するコークス乾式消火設備１００（CDQ）は、チャンバー１０とボイラー３０の２つの熱交換機、さらには集塵機であるサイクロン２０が、不活性ガス（窒素が主成分であって、CO2、H2O、微量のCO、H2が含まれたガスなど）からなる循環冷却ガスの流通系統を構成する、第１のダクト７０、第２のダクト８０および第３のダクト９０で相互に流体連通されてその全体が大略構成されている。
【００３７】
より具体的には、チャンバー１０とサイクロン２０は第１のダクト７０を介して繋がり、サイクロン２０とボイラー３０は第２のダクト８０を介して繋がり、ボイラー３０とチャンバー１０は、その途中に配設されたガスブロア５０を介して第３のダクト９０を介して繋がっている。
【００３８】
不活性ガスからなる循環冷却ガスは、図示する流通系統を循環しながら高温の赤熱コークスＣｏを冷却し、赤熱コークスＣｏから受けた熱で昇温された循環冷却ガスはボイラー３０内を流通する水を蒸発させて蒸気を生成する。
【００３９】
不図示のコークス炉から押し出された不図示のバケットに収容された赤熱コークスＣｏは、チャンバー１０の頂部から搬入される（Ｘ１方向）。チャンバー１０内では、上部のプレチャンバー１１にて高温の赤熱コークスＣｏを溜め、一定の時間間隔で下方のクーリングチャンバー１２に降下させる。この操作によって赤熱コークスＣｏは当初の約1000℃の温度が200℃以下に冷却され（冷却された赤熱コークスＣｏ’の生成）、チャンバー１０底部に配設された排出路１４を介して排出されてコンベア１５で不図示の高炉に運ばれるようになっている。
【００４０】
循環冷却ガスにはCO等の未燃ガスが含まれており、これらの未燃ガスを循環冷却ガスがボイラー３０の入口に至るまでに完全に燃焼させるべく、図示するコークス乾式消火設備１００では、未燃ガス燃焼用の空気導入路４１と、第３のダクト９０の途中位置９０ａから分岐した分岐ダクト４２（ガス導入路）とが、サイクロン２０の下流側に位置する第２のダクト８０の途中位置に繋がっており、分岐ダクト４２を流通する循環冷却ガスと空気導入路４１を流通する空気が第２のダクト８０に提供されるようになっている（空気の流れがＱ１、循環冷却ガスの流れがＱ２）。なお、図示例は分岐ダクト４２が一基の形態を示しているが、第３のダクト９０のガスブロア５０よりも下流側において２以上の分岐ダクトが設けられ、それぞれの分岐ダクトが第２のダクト８０に接続される形態であってもよい。
【００４１】
ここで、分岐ダクト４２および空気導入路４１と第２のダクト８０の接続形態には様々な形態があり、ここでは図２を参照して３種類の実施の形態を説明する。
【００４２】
図２ａで示す接続形態は、分岐ダクト４２と空気導入路４１が個別に第２のダクト８０の立ち上がり部８１に接続される形態である。なお、分岐ダクト４２と空気導入路４１は近接させるのが望ましい。
【００４３】
一方、図２ｂで示す接続形態は、分岐ダクト４２と空気導入路４１が予混合路４３に繋がり、予混合路４３が第２のダクト８０の立ち上がり部８１に接続される形態である。
【００４４】
この接続形態では、予混合路４３に流入してきた循環冷却ガスと空気が予混合路４３内で混合され、生成された混合ガスが第２のダクト８０に提供されることになる。
【００４５】
さらに、図２ｃで示す接続形態は、分岐ダクト４２と空気導入路４１がそれぞれ、二重管４４の外管、内管に繋がり、二重管４４が第２のダクト８０の立ち上がり部８１に接続される形態である。
【００４６】
図１に戻り、系内を流通する循環冷却ガスは、循環設備を構成するガスブロア５０からチャンバー下方のクーリングチャンバー１２に吹き込まれ（Ｙ１方向）、上方に上昇する過程（Ｙ２方向）で降下してくる高温の赤熱コークスＣｏ（Ｘ２方向）と接触する。そして、プレチャンバー１１の外周にあるリングダクト１３を通過し、第１のダクト７０から集塵機であるサイクロン２０に入り（Ｙ２方向）、サイクロン２０で旋回流Ｙ３’となり、ボイラー３０側に流れていく（Ｙ３”方向）。なお、第３のダクト９０を流通する循環冷却ガスの一部は、途中位置９０ａから分岐した分岐ダクト４２を介して第２のダクト８０に流通する。
【００４７】
ここで、クーリングチャンバー１２からリングダクト１３へと上昇する（Ｙ１方向）循環冷却ガスは800℃程度にまで昇温しているが、従来構造のCDQと異なって燃焼用空気がチャンバー１０にて循環冷却ガスに提供されないことから、循環冷却ガスがさらに昇温することはなく、この800℃程度（900℃以下の温度）でリングダクト１３から第１のダクト７０に流入することになる。
【００４８】
第１のダクト７０を流通する循環冷却ガスは、800℃程度の温度を維持した状態でサイクロン２０に進入し、ここで旋回流Ｙ３’が生成される。
【００４９】
図３で示すように、サイクロン２０は、下方に縮径した筒状を呈し、湾曲線形の循環冷却ガスの導入路２１が筒内に流体連通しており、この頂部から第２のダクト８０を構成する立ち上り部８１が立ち上がり、さらに屈曲して第２のダクト８０を構成する水平部８２がボイラー３０側に通じている。
【００５０】
立ち上り部８１の途中位置には、図３，４で示すように４基の空気導入路４１と分岐ダクト４２が90度間隔で配設されている。
【００５１】
図１に戻り、サイクロン２０では、循環冷却ガスの有する摩耗性の高いコークス粉が効果的に集塵される。そして、サイクロン２０の上方の第２のダクト８０の立ち上り部８１では、循環冷却ガス中の未燃ガス燃焼用の空気と第３のダクト９０から迂回してきた循環冷却ガスが提供されるが、サイクロン２０の上方で循環冷却ガスが旋回していることから提供される空気と循環冷却ガスの混合が十分に図られ、未燃ガスの燃焼が促進される。
【００５２】
未燃ガスが完全に燃焼された段階で、水平部８２を旋回流Ｙ３”の態様でボイラー３０側に流通する循環冷却ガスの温度は昇温し、サイクロン２０に流入する際の800℃程度（900℃以下）から約1000℃の循環冷却ガスとなってボイラー３０に流入することになる。
【００５３】
ボイラー３０内には給水と蒸気排気をおこなう蒸気生成回収路３５が内装されており、蒸気生成回収路３５を介して給水され（Ｚ１方向）、水がボイラー３０内を流通する過程（Ｚ２方向）でボイラー３０内を流通する（Ｙ４方向）循環冷却ガスの熱で蒸気となり、この蒸気を蒸気生成回収路３５を介して排出して熱回収される（Ｚ３方向）。
【００５４】
蒸気の生成で熱を奪われた循環冷却ガスは200℃以下に降温し、第３のダクト９０を介してチャンバー１０側に流通し（Ｙ５方向）、ガスブロア５０を介し、給水予熱器６０を介してさらに降温され、130℃程度の循環冷却ガスがクーリングチャンバー１２に吹き込まれることとなり（Ｙ１方向）、このようにしてCDQ内における循環冷却ガスの循環が図られることとなる。また、200℃以下に降温した循環冷却ガスは、分岐ダクト４２を介して第２のダクト８０にも提供される。
【００５５】
このように、集塵性能に優れたサイクロン２０の適用に加えて、循環冷却ガス中の未燃ガスの燃焼を実行するための空気導入路４１と循環冷却ガスを提供する分岐ダクト４２を第２のダクト８０の途中位置に流体連通させたことにより、900℃以下の比較的低温域の循環冷却ガスをサイクロン２０内で集塵することができ、サイクロン２０の形成素材としてインコネル（登録商標）等の高価な耐熱材を使用することなく、ステンレス鋼等の一般的な耐熱鋼を使用することができる。特に、旋回流Ｙ３’を生じるサイクロン２０の下流側の第２のダクト８０において未燃ガスに空気と第３のダクト９０から迂回する循環冷却ガスが提供されることから、未燃ガスを含む循環冷却ガスの旋回流Ｙ３’を利用して未燃ガスの燃焼を促進することができ、サイクロン２０とボイラー３０までの距離、すなわち第２のダクト８０の長さが長くない場合でも循環冷却ガスがボイラー３０に到達するまでの未燃ガスの燃焼完了を保証することができる。
【００５６】
また、サイクロン２０に提供される循環冷却ガスの温度が900℃以下と低くなることでその熱膨張が抑制される結果、提供される循環冷却ガスのボリュームが低減されることから、サイクロン２０の小型化を図ることもできる。また、サイクロン２０を適用することで、従来構造の一次ダストキャッチャーに比して循環冷却ガス中のダスト濃度を大きく低減できる。そして、このことによってボイラー３０内における循環冷却ガスによる摩耗の影響が極めて少なくなり、溶射やプロテクター設置といった耐摩耗被膜形成に要するコストが不要となる。また、循環冷却ガスの流速を高めることが可能となり、このことによって伝熱性能が向上するため、一定量の蒸気回収を前提とした場合にはボイラー３０の小型化を図ることが可能となる。さらに、サイクロン２０による集塵効率が高まることで従来のようにボイラー下流における二次ダストキャッチャーやそれに付随するコンベア等が一切不要となり、CDQシステム全体の設備コスト低減にも繋がる。
【００５７】
ここで、第２のダクト８０に提供される未燃ガス燃焼用の空気は、その温度が大気温度であり、その酸素濃度が約21％である。一方、第３のダクト９０から分岐ダクト４２を介して第２のダクト８０に提供される循環冷却ガスは、その温度が例えば100℃〜200℃であり、その酸素濃度が約0％である。これらの空気および循環冷却ガスを図２ａ、ｃのごとく個別かつ同時に、もしくは図２ｂのごとく予混合した混合ガスとして第２のダクト８０に吹込むことにより、第２のダクト８０に提供される空気やガスの温度や酸素濃度、吹込み流量・流速を所望に制御することが可能になる。
【００５８】
そして、このような制御により、混合ガスの酸素濃度を下げることができ、このことによって燃焼抑制効果を齎し、燃焼温度を低下させることで、第２のダクト８０の壁面にクリンカが付着するのを効果的に抑制することができる。
【００５９】
また、操業低負荷時に燃焼用空気量が低下し、吹込み流速が低下した際に、混合する循環冷却ガス流量を増加させて吹込み流速を維持することにより、第２のダクト８０の壁面における燃焼に起因したクリンカの付着を抑制することができる。
【００６０】
（コークス乾式消火設備の実施の形態２）
図５は本発明のコークス乾式消火設備の実施の形態２の模式図である。
【００６１】
図示するコークス乾式消火設備１００Ａは、未燃ガス燃焼用の空気導入路４１と系外ダクト４５が第２のダクト８０の途中位置に繋がっており、空気導入路４１を流通する空気、および系外ダクト４５を流通する不活性ガスが第２のダクト８０に提供されるようになっている（空気の流れがＱ１、不活性ガスの流れがＱ３）。
【００６２】
系外ダクト４５は、コークス乾式消火設備１００Ａの系外にある不図示の各種設備からコークス乾式消火設備１００Ａの第２のダクト８０に繋がっており、系外の各種設備にて発生等した窒素、二酸化炭素、蒸気のいずれか一種もしくは複数種を不活性ガスとして再利用し、第２のダクト８０へ提供するものである。循環冷却ガスと同様に、これら窒素、二酸化炭素、蒸気内においても酸素は存在しておらず、したがって循環冷却ガスを適用した場合と同様の効果が期待できる。なお、図示を省略するが、系外ダクト４５および空気導入路４１と第２のダクト８０の接続形態も、図２で示す分岐ダクト４２および空気導入路４１と第２のダクト８０の３種類の接続形態を適用できる。
【００６３】
（コークス乾式消火設備の実施の形態３）
図６は本発明のコークス乾式消火設備の実施の形態３の模式図であり、図７（ａ），（ｂ），（ｃ）はともに、空気導入路、分岐ダクトおよび系外ダクトと第２のダクトの接続形態を示した縦断面図である。
【００６４】
図示するコークス乾式消火設備１００Ｂは、未燃ガス燃焼用の空気導入路４１と、第３のダクト９０の途中位置９０ａから分岐した分岐ダクト４２と、系外ダクト４５が第２のダクト８０の途中位置に繋がっており、分岐ダクト４２を流通する循環冷却ガス、空気導入路４１を流通する空気、および系外ダクト４５を流通する窒素、二酸化炭素、蒸気のいずれか一種もしくは複数種が第２のダクト８０に提供されるようになっている（空気の流れがＱ１、循環冷却ガスの流れがＱ２、窒素、二酸化炭素、蒸気のいずれか一種もしくは複数種の流れがＱ３）。
【００６５】
ここで、分岐ダクト４２、空気導入路４１および系外ダクト４５と第２のダクト８０の接続形態においても様々な形態があり、ここでは図７を参照して３種類の実施の形態を説明する。
【００６６】
図７ａで示す接続形態は、空気導入路４１、分岐ダクト４２および系外ダクト４５が個別に第２のダクト８０の立ち上がり部８１に接続される形態である。
【００６７】
一方、図７ｂで示す接続形態は、空気導入路４１、分岐ダクト４２および系外ダクト４５が予混合路４３に繋がり、予混合路４３が第２のダクト８０の立ち上がり部８１に接続される形態である。
【００６８】
さらに、図７ｃで示す接続形態は、空気導入路４１、分岐ダクト４２および系外ダクト４５がそれぞれ、三重管４６の内管、中管、外管に繋がり、三重管４６が第２のダクト８０の立ち上がり部８１に接続される形態である。  
【００６９】
この実施の形態においても、サイクロン２０の上方の第２のダクト８０の立ち上り部８１では、循環冷却ガス中の未燃ガス燃焼用の空気と第３のダクト９０から迂回してきた循環冷却ガス、さらには窒素、二酸化炭素、蒸気のいずれか一種もしくは複数種が提供されることで、既述する実施の形態１と実施の形態２を適用した場合と同様の効果が期待できる。
【００７０】
[燃焼解析とその結果]
本発明者等は、第２のダクトに空気のみを導入し、循環冷却ガスを第２のダクトよりも上流に導入するcase1と、第２のダクトに空気および循環冷却ガスを導入するcase2の場合における、第２のダクト内の循環冷却ガスの流速、循環冷却ガスの温度、さらには、循環冷却ガスの900℃、1000℃、1100℃の温度等値面を求める解析をおこなった。解析モデルを図８，９に示すとともに、図１０ａにcase1の概略図を、図１０ｂにcase2の概略図をそれぞれ示す。なお、図８，９では第２のダクトに空気導入路のみが繋がっているモデルが図示されているが、case2では、この空気導入路を介して空気と循環冷却ガスの双方が導入されることとした。また、以下の表１に解析条件を示す。
【００７１】
0005683735.tif 000002
0005683735.tif 000003
【００７２】
解析結果を図１１〜図１５に示す。具体的には、図１１は燃焼解析結果のうち、第２のダクトにおける循環冷却ガスの流速コンタ図であり、図１２は燃焼解析結果のうち、第２のダクトにおける循環冷却ガスの温度コンタ図である。また、図１３，１４，１５はそれぞれ、燃焼解析結果のうち、第２のダクトにおける循環冷却ガスの温度1100℃、1000℃、900℃の温度等値図である。
【００７３】
図１１より、case1に比して、空気に加えて循環冷却ガスを導入するcase2では第２のダクト内に導入する混合ガスの吹込み流速が速くなることが実証されている。
【００７４】
また、図１２より、case1に比して、case2では、第２のダクトの立ち上がり部内を流通する循環冷却ガスの温度が低くなることが実証されている。
【００７５】
さらに、表１よりcase1とcase2では、第２のダクト通過ガス（合流後）のガス流量、温度、成分は同じであるが、図１３〜１５より、case2では第２のダクト内に1100℃の循環冷却ガスは存在せず、1000℃の循環冷却ガスの流量もcase1に比して少なく、900℃の循環冷却ガスの流量は立ち上がり部でcase1と同程度であることが実証されている。また、ボイラーに通じる水平部では、900℃未満の循環冷却ガスの流量がcase1に比して多くなっていることが推定される。
【００７６】
加えて、本解析結果にて、第２のダクトへ導入した循環冷却ガスは、不活性ガスもしくは低酸素含有ガスであっても同様の冷却効果が得られる。
【００７７】
本解析結果より、第２のダクトに空気に加えて低温の循環冷却ガスを導入することにより、空気のみを導入する場合に比して、第２のダクトの立ち上がり部、とくにサイクロン出口部近傍における循環冷却ガス中の未燃ガスの燃焼温度を低下させることができ、この燃焼温度の低下によって第２のダクトの壁面においてクリンカが付着するのを抑制できると考えられる。
【００７８】
なお、第２のダクトに第３のダクトから分岐した分岐ダクトが繋がっておらず、系外の各種設備に通じている系外ダクトと空気導入路が繋がっていて、空気導入路を流通する空気と系外ダクトを流通する窒素、二酸化炭素、蒸気のいずれか一種もしくは複数種が第２のダクトに提供されるようになっているコークス乾式消火設備とした場合でも、燃焼温度を効果的に低下させることができ、第２のダクトの壁面におけるクリンカ付着を抑制することができる。
【００７９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００８０】
１０…チャンバー、１１…プレチャンバー、１２…クーリングチャンバー、１３…リングダクト、１４…排出路、１５…コンベア、２０…サイクロン（集塵機）、２１…導入路、２１ａ…導入孔、３０…ボイラー、３５…蒸気生成回収路、４１…空気導入路、４２…分岐ダクト（ガス導入路）、４３…予混合路、４４…二重管、４５…系外ダクト（ガス導入路）、４６…三重管、５０…ガスブロア、６０…給水予熱器、７０…第１のダクト、８０…第２のダクト、８１…立ち上り部、８２…水平部、９０…第３のダクト、１００，１００Ａ，１００Ｂ…コークス乾式消火設備（CDQ）、Ｃｏ…赤熱コークス、Ｃｏ’… 冷却された赤熱コークス
【要約】 
【課題】サイクロンとボイラーを繋ぐダクトの壁面にクリンカが付着するのを抑制することのできるコークス乾式消火設備を提供すること。
【解決手段】赤熱コークスが供給されて循環冷却ガスが吹き込まれるチャンバー１０、循環冷却ガスが第１のダクト７０を介して導入されてコークス粉を回収するサイクロン２０、循環冷却ガスが第２のダクト８０を介して導入されてその熱を回収するボイラー３０、ボイラー３０とチャンバー１０を繋ぐ第３のダクト９０を備えたコークス乾式消火設備１００において、第２のダクト８０にはガス導入路４２と空気導入路４１が繋がっており、ガス導入路４２を流通する不活性ガス（循環冷却ガス）と空気導入路４１を流通する空気が第２のダクト８０に提供されるようになっている。
【選択図】図１【図１】
0005683735.tif 000004
【図２】
0005683735.tif 000005
【図３】
0005683735.tif 000006
【図４】
0005683735.tif 000007
【図５】
0005683735.tif 000008
【図６】
0005683735.tif 000009
【図７】
0005683735.tif 000010
【図８】
0005683735.tif 000011
【図９】
0005683735.tif 000012
【図１０】
0005683735.tif 000013
【図１１】
0005683735.tif 000014
【図１２】
0005683735.tif 000015
【図１３】
0005683735.tif 000016
【図１４】
0005683735.tif 000017
【図１５】
0005683735.tif 000018